(57)【要約】【課題】  回転体の支持構造をシンプルにすることが可能な指針式計器を提供する。【解決手段】  第１の透視部１ａとこの第１の透視部１ａの周囲に形成される指標部１ｂとを有する指標板と、第１の透視部１ａに対応する第１の貫通部３１を有する回転体３と、この回転体３に固定され第１の透視部１ａの周囲を指標部１ｂに沿って移動する指針４と、回転体３を回転駆動し指針４を移動させる駆動装置６と、第１の貫通部３１に対応する第２の貫通部７１を有し回転体３の背後に配置されこれを回転可能に支持する支持体７と、この支持体７の背後に配置され第１の透視部１ａ、第１，第２の貫通部３１，７１を通じて観察者に所定情報を表示する表示装置８とを備え、支持体７には第２の貫通部７１を取り巻くように回転体３側に延びる立壁部７２が形成され、回転体３には立壁部７２によって回転案内される被案内部３６を設けた。【選択図】  図４
2005098948.tif 000002
【特許請求の範囲】
【請求項１】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する指針と、
前記回転体を回転駆動し前記指針を移動させる駆動装置と、
前記第２の透視部に対応する第３の透視部を有し前記回転体の背後に配置されこれを回転可能に支持する支持体と、
この支持体の背後に配置され前記第１，第２，第３の透視部を通じて観察者に所定情報を表示する表示装置とを備え、
前記支持体には前記第３の透視部を取り巻くように前記回転体側に延びる立壁部が形成され、前記回転体には前記立壁部によって回転案内される被案内部を設けたことを特徴とする指針式計器。
【請求項２】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する指針と、
前記回転体を回転駆動し前記指針を移動させる駆動装置と、
前記第２の透視部に対応する第３の透視部を有し前記回転体の背後に配置されこれを回転可能に支持する支持体と、
この支持体の背後に配置され前記第１，第２，第３の透視部を通じて観察者に所定情報を表示する表示装置とを備え、
前記回転体には前記第２の透視部を取り巻くように前記支持体側に延びる立壁部が形成され、前記支持体には前記立壁部によって回転案内される被案内部を設けたことを特徴とする指針式計器。
【請求項３】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する指針と、
前記回転体を回転駆動し前記指針を移動させる駆動装置と、
前記第２の透視部に対応する第３の透視部を有し前記回転体の背後に配置されこれを回転可能に支持する支持体と、
この支持体の背後に配置され前記第１，第２，第３の透視部を通じて観察者に所定情報を表示する表示装置とを備え、
前記支持体には前記回転体側に延び前記回転体を位置決めするための位置決め部が形成され、前記回転体には前記位置決め部によって回転案内される被案内部を設けたことを特徴とする指針式計器。
【請求項４】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する指針と、
前記回転体を回転駆動し前記指針を移動させる駆動装置と、
前記第２の透視部に対応する第３の透視部を有し前記回転体の背後に配置されこれを回転可能に支持する支持体と、
この支持体の背後に配置され前記第１，第２，第３の透視部を通じて観察者に所定情報を表示する表示装置とを備え、
前記回転体には前記支持体側に延び前記支持体を位置決めするための位置決め部が形成され、前記支持体には前記位置決め部によって回転案内される被案内部を設けたことを特徴とする指針式計器。
【請求項５】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する指針と、
前記回転体を回転駆動し前記指針を移動させる駆動装置と、
前記第２の透視部に対応する第３の透視部を有し前記回転体の背後に配置されこれを回転可能に支持する支持体と、
この支持体の背後に配置され前記第１，第２，第３の透視部を通じて観察者に所定情報を表示する表示装置とを備え、
前記回転体または前記支持体のどちらか一方に両者を点接触させる突起部を少なくとも３箇所設けたことを特徴とする指針式計器。
【請求項６】
前記突起部がバネ性を有していることを特徴とする請求項５記載の指針式計器。
【請求項７】
前記回転体の前方に前記回転体の前方移動を抑制する所定部材が配置され、この所定部材と前記回転体との間に柔軟性を有するスペーサ部材を設けたことを特徴とする請求項１から請求項６のうち何れか１つに記載の指針式計器。
【発明の詳細な説明】
【技術分野】
【０００１】
本発明は、例えば自動車を代表とする車両に搭載される指針式計器に関し、特に指針の仮想回転中心を含む指標板の中央領域に、貫通部または透明部からなる透視部が形成され、この透視部を通じて指標板の背後に配置される液晶表示装置のごとき表示装置を視認させると共に、透視部の外周にて指針式表示を行う指針式計器（以降、便宜上、センターレスタイプの指針式計器と称する）に関する。
【背景技術】
【０００２】
従来、この種のセンターレスタイプの指針式計器として、例えば下記特許文献１に記載のものが知られている。この指針式計器は、中央領域に貫通孔状の透視部を有する環状の指標板と、この指標板の透視部に臨む液晶パネルからなる表示装置と、この表示装置と指標板との間に配置され透視部に対応する貫通孔を有するリング状の回転体と、透視部の内縁を通して回転体に装着され指標板上に延びる指針と、透視部を外れた箇所に配置され回転体を回転駆動させる駆動装置と、回転体に沿うように分散して配置され回転体の回転時に回転体を移動案内する複数の支持体とを備え、駆動装置によって回転体を回転駆動することにより指標板上に延びる指針を回転移動させる構成である。
【特許文献１】特開２０００−１３１０９９号公報
【発明の開示】
【発明が解決しようとする課題】
【０００３】
しかしながら、上記特許文献１に記載の指針式計器では、リング状からなる回転体を回転駆動させるにあたって回転体を移動案内するための支持体が回転体に沿うように複数個分散配置されたローラから構成されているため、回転体の支持構造が複雑化し、部品点数も多くなってしまうという問題があり、更なる改良の余地が残されていた。
そこで本発明は、前述の課題に対して対処するため、回転体の支持構造をシンプルにすることが可能な指針式計器の提供を目的とするものである。
【課題を解決するための手段】
【０００４】
本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する指針と、前記回転体を回転駆動し前記指針を移動させる駆動装置と、前記第２の透視部に対応する第３の透視部を有し前記回転体の背後に配置されこれを回転可能に支持する支持体と、この支持体の背後に配置され前記第１，第２，第３の透視部を通じて観察者に所定情報を表示する表示装置とを備え、前記支持体には前記第３の透視部を取り巻くように前記回転体側に延びる立壁部が形成され、前記回転体には前記立壁部によって回転案内される被案内部を設けたことを特徴とする。
【０００５】
また本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する指針と、前記回転体を回転駆動し前記指針を移動させる駆動装置と、前記第２の透視部に対応する第３の透視部を有し前記回転体の背後に配置されこれを回転可能に支持する支持体と、この支持体の背後に配置され前記第１，第２，第３の透視部を通じて観察者に所定情報を表示する表示装置とを備え、前記回転体には前記第２の透視部を取り巻くように前記支持体側に延びる立壁部が形成され、前記支持体には前記立壁部によって回転案内される被案内部を設けたことを特徴とする。
【０００６】
また本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する指針と、前記回転体を回転駆動し前記指針を移動させる駆動装置と、前記第２の透視部に対応する第３の透視部を有し前記回転体の背後に配置されこれを回転可能に支持する支持体と、この支持体の背後に配置され前記第１，第２，第３の透視部を通じて観察者に所定情報を表示する表示装置とを備え、前記支持体には前記回転体側に延び前記回転体を位置決めするための位置決め部が形成され、前記回転体には前記位置決め部によって回転案内される被案内部を設けたことを特徴とする。
【０００７】
また本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する指針と、前記回転体を回転駆動し前記指針を移動させる駆動装置と、前記第２の透視部に対応する第３の透視部を有し前記回転体の背後に配置されこれを回転可能に支持する支持体と、この支持体の背後に配置され前記第１，第２，第３の透視部を通じて観察者に所定情報を表示する表示装置とを備え、前記回転体には前記支持体側に延び前記支持体を位置決めするための位置決め部が形成され、前記支持体には前記位置決め部によって回転案内される被案内部を設けたことを特徴とする。
【０００８】
また本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する指針と、前記回転体を回転駆動し前記指針を移動させる駆動装置と、前記第２の透視部に対応する第３の透視部を有し前記回転体の背後に配置されこれを回転可能に支持する支持体と、この支持体の背後に配置され前記第１，第２，第３の透視部を通じて観察者に所定情報を表示する表示装置とを備え、前記回転体または前記支持体のどちらか一方に両者を点接触させる突起部を少なくとも３箇所設けたことを特徴とする。
【０００９】
また本発明は、前記突起部がバネ性を有していることを特徴とする。
【００１０】
また本発明は、前記回転体の前方に前記回転体の前方移動を抑制する所定部材が配置され、この所定部材と前記回転体との間に柔軟性を有するスペーサ部材を設けたことを特徴とする。
【発明の効果】
【００１１】
本発明によれば、初期の目的を達成でき、回転体の支持構造をシンプルにすることが可能な指針式計器を提供できる。
【発明を実施するための最良の形態】
【００１２】
（第１実施形態）以下、図面に基づいて本発明による指針式計器の第１実施形態について説明する。図１〜図４は、本発明の第１実施形態を示すもので、図１は本発明の第１実施形態による指針式計器の正面図、図２は図１のＡ−Ａ断面図、図３は同実施形態による駆動装置と回転体との連結状態を示す図、図４は図２中、Ｂ部を拡大して示す要部断面図である。
【００１３】
本実施形態による指針式計器は、図１〜図３に示すように、指標板１と、この指標板１の背後に配置される支持板（板状部材）２と、この支持板２の背後に配置される回転体３と、指針４と、光源５と、回転体３を回転駆動させるための駆動装置６と、回転体３を回転可能に支持する支持体７と、この支持体７の背後に配置される表示装置８と、この表示装置８の背後に位置する回路基板９と、光源５に電力供給を行う導体１０と、指標板１の後述する第１の透視部や指標部並びに指針４を露出させるための被覆パネル１１とを備えている。
【００１４】
指標板１は、第１の透視部１ａを構成する例えば円形の貫通孔（貫通部）を有する概略円環形状の板材からなり、第１の透視部１ａの周囲には、指針４の移動経路に沿って円弧状に配列された文字や目盛等の指標部１ｂを備えている。これら指標部１ｂは、概略円環プレート形状を有する透光性合成樹脂材からなる図示しない基材上にスクリーン印刷等の手段により形成されている。
【００１５】
支持板２は、透視部１ａに対応した貫通孔２１を有する概略円環形状板材からなり、その材質は遮光性の合成樹脂からなる。また、貫通孔２１の周囲には貫通孔２１を取り巻く円形の平板部２２が形成されており、支持板２は平板部２２によって指標板１を背後から支持している。また、平板部２２は各光源５からの光を受光して指標板１の指標部１ｂを照明する導光部材としての機能を有している。また、支持板２はこの背後に位置する回転体３の支持板２側への移動を抑制するための抑え部材としての機能を有している。
【００１６】
なお、各光源５からの光は、図４に示すように平板部２２の外壁面となる受光面２３を通じて平板部２２内に供給されるようになっている。また、平板部２２の底面２４並びに貫通孔２１と平板部２２との境界となる境界部２５（受光面２３との対向面）には平板部２２内に供給された光源５の光を指標板１側に効率的に反射させるための光反射率の高い遮光性の白色系インクからなる反射層２６が設けられている。
【００１７】
回転体３は、第１の透視部１ａに対応する形状の貫通孔からなる第１の貫通部（第２の透視部）３１を有する概略円環形状の板材からなり、その材質は合成樹脂からなる。この回転体３には、歯車部３２と、指針支持部３３とが形成されている。なお第１の貫通部３１は貫通部ではなく、透明部であってもよい。
【００１８】
歯車部３２は、図３に示すように回転体３の円板部外周の全周にわたって形成されており、駆動装置６の後述する駆動歯車に連結される。
【００１９】
指針支持部３３は、第１の貫通部３１を取り巻く円板部３４から第１の貫通部３１側に向けて部分的に隆起形成された突出片からなり、その上面に指針４が固定される。
【００２０】
指針４は、合成樹脂からなり、断面略「Ｌ」字状に形成され、指標板１の透視部１ａ並びに支持板２の貫通孔２１の内縁を通して回転体３に固定されている。すなわち、指針４は図４に示すように指標板１上に線状に延びる指示部４１と、透視部１１並びに貫通孔２１を貫通して回転体３側に延び指針支持部３３に固定されるリブ形状の固定部４２とを有している。そして、指針支持部３３に固定された指針４は回転体３の回転により、指標板１上を指標部１ｂに沿って移動し、指標部１ｂを指示している。
【００２１】
光源５は、例えば発光ダイオードからなり、指標部１ｂに沿うように導体１１上に複数個配置され、その発光面は支持板２の受光面２３に対向している。また、光源５は、導体１１の導電路に導通固定されており、この導体１１から電力供給により発光し、受光面２３を通じて支持板２内に光供給を行い、指標板１の指標部１ｂを発光させる発光体である。
【００２２】
駆動装置６は、例えばステッピングモータや交差コイル式ムーブメントからなり、回転体３の第１の貫通部３１の外側（回転体３の外周側）に位置しており、その回転軸６１には、回転体３の歯車部３２に連結される駆動歯車６２が固定され、駆動装置６の回転軸６１が計測量に応じて回転することにより、回転体３に固定された指針４が指標板１の指標部１ｂを指示するようになっている。
【００２３】
支持体７は、第１の透視部１ａ，貫通孔２１，第１の貫通部３１に対応する形状の貫通孔からなる第２の貫通部（第３の透視部）７１を有する概略円環形状の板材からなり、その材質は合成樹脂からなる。この支持体７には、内側環状突出部からなる立壁部７２と、外側環状突出部７３と、底壁部７４とが形成されている。また、支持板７は回転体３の背後に配置され、回転体３を支持している。なお第２の貫通部７１は貫通部ではなく、透明部であってもよい。
【００２４】
立壁部７２は、第２の貫通部７１を取り巻くように指標板１側に延び、またその外形形状は第１の貫通部３１の開口形状よりもやや径小に設定されている。
従って、本実施形態では立壁部７２が第１の貫通部３１の内縁に沿うように挿入（案内）されることで、単一の支持体７のみを用いて支持体７を回転体３に組み付ける構造となるため、回転体３と支持体７との組み付け構造が簡素化され、従来のように回転体に沿うように複数個の支持体（ローラ）を組み付けることによる回転体の支持構造複雑化を解消することができる。なお、回転体３と支持体７との組み付け時には立壁部７２とこれよって回転案内される第１の貫通部３１である被案内部３６との間に微小なクリアランスＳが形成されており、このクリアランスＳを通じて回転体３の支持体７に対する矢印Ｘ方向（回転体３の板面方向）のガタつきが抑制されている。
【００２５】
外側環状突出部７３は、立壁部７２の外側に位置しており、導体１１を取り囲むように指標板１側に延び指標板１を支持している。
【００２６】
また、前述のように支持体７が回転体３に組み付けられることで、回転体３の円板部３４背面と、これに対向する底壁部７４箇所とが接触することになるが、本実施形態では円板部３４とこれに対向する底壁部７４箇所との接触部分には、潤滑部材１００が設けられている。
【００２７】
この潤滑部材１００は、ポリアミド、ポリミイド等の合成樹脂製シートからなるベース材１０１上に、自己潤滑性（低摩擦係数特性）を有する固体である４フッ化エチレン樹脂（ＰＴＦＥ：ポリテトラフルオロエチレン）等のフッ素樹脂系の潤滑膜１０２を積層してなる。
【００２８】
この潤滑部材１００はそれ自体が適度な柔軟性を有し、潤滑膜１０２側が回転体３の円板部３４に接触するように接着等の適宜手段を通じて円板部３４に対向する底壁部７４の表面箇所に装着されている。また、潤滑部材１１０は支持体７側ではなく回転体３側に装着してもよい。なお、このとき潤滑部材１１０はその潤滑膜１０２側が支持体７に接触するように配設される。
【００２９】
一方、回転体３の表面側となる支持板２と回転体３との間にはスペーサ部材１１０が介在しており、このスペーサ部材１１０は回転体３の第１の貫通部３１に対応した形状の貫通孔１１１を有している。また、スペーサ部材１１０は不織布（フェルト）等の柔軟性を有するクッション材からなり、その底面部が回転体３の円板部３４の表面に接触するように接着等の適宜手段を通じて円板部３４に対向する支持板２の底面２４（反射層２６）の背面箇所に装着されている。
【００３０】
また、スペーサ部材１１０はその板厚が支持板２と回転体３との間隙よりも大きく設定されているため、支持板２の回転体３への組み付け時には回転体３がスペーサ部材１１０によって支持体７側（矢印Ｙ方向とは反対方向）に押されて装着されることになり、これにより矢印Ｙ方向（回転体３の板厚方向）に対する回転体３のガタつきが防止される。さらに、このとき回転体３は支持板７に接触することになるが、回転体３と支持板７との接触部分には潤滑部材１００が介在しているため、回転体３と支持体７との摩擦抵抗が抑えられる。また、これと同時に支持板２と回転体３との摩擦抵抗はスペーサ部材１１０を通じて抑えられており、これにより回転体３はその表面がスペーサ部材１１０上を摺動し、且つその背面が潤滑部材１００上を摺動するため、回転体３を円滑に回転させることが可能となる。なお、スペーサ部材１１０は支持板２側ではなく回転体３側に装着してもよい。
【００３１】
なお、本実施形態では矢印Ｙ方向に対する回転体３のガタつきを防止するためにスペーサ部材１１０を用いたことで、外部からの振動等によって回転体３が支持板２に接触したときに発生する雑音を抑えることができ、また回転体３のガタつきに連動して指針４がガタつくのを抑えることができるというメリットがある。一方、潤滑部材１００は前述のように、潤滑性、低摩擦係数特性を有する固体からなり、例えば潤滑油のような流動性を持たないため、周囲部品への悪影響を排除でき、また再給油等の煩雑なメンテナンスの必要もない等、多くのメリットを有している。
【００３２】
表示装置８は、例えばＴＦＴ（薄膜トランジスタ）型の液晶表示素子または有機電界発光素子からなる表示パネルを枠体内に組み込んでなり、前記表示パネルの表示面が第１の透視部１ａ、貫通孔２１、第１，第２の貫通部３１、７１を通じて観察者に臨むように、回路基板９上に配置されている。なお表示装置８の表示情報は任意であるが、一例として例えば走行距離情報、ナビゲーション情報、シフトポジション情報、外気温情報の他、各種映像情報が挙げられる。
【００３３】
回路基板９は、例えば硬質の回路基板からなり、光源５、駆動装置６、表示装置８の動作を制御する図示しない駆動制御回路が搭載されている。
【００３４】
導体１０は、薄くて反発力の小さい、例えばポリアミド系またはポリミイド系のＦＰＣ（フレキシブル・プリント・サーキット）からなり、その長手方向は指標部１ｂに沿うように引き回されており、またその高さ方向は支持体７に設けられた外側環状突出部７３の内壁面に沿って延びている。なお、外側環状突出部７３と導体１０とは接着等により固定されている。そして、指標板１側となる導体１０の端部１０ａに光源５が装着されている。また、導体１０には光源５の電力ラインを構成する銅箔パターンからなる導電路（図示せず）が形成されている。
【００３５】
被覆パネル１１は、第１の透視部１ａ、指標部１ｂ、指針４のそれぞれを露出し、それ以外の領域を遮蔽するように配置されている。
【００３６】
以上のように本実施形態では、第１の透視部１ａとこの第１の透視部１ａの周囲に形成される指標部１ｂとを有する指標板と、第１の透視部１ａに対応する第１の貫通部３１を有する回転体３と、この回転体３に固定され第１の透視部１ａの周囲を指標部１ｂに沿って移動する指針４と、回転体３を回転駆動し指針４を移動させる駆動装置６と、第１の貫通部３１に対応する第２の貫通部７１を有し回転体３の背後に配置されこれを回転可能に支持する支持体７と、この支持体７の背後に配置され第１の透視部１ａ、第１，第２の貫通部３１，７１を通じて観察者に所定情報を表示する表示装置８とを備え、支持体７には第２の貫通部７１を取り巻くように回転体３側に延びる立壁部７２が形成され、回転体３には立壁部７２によって回転案内される被案内部３６を設けたことにより、回転体３の支持構造を簡素化することができると共に、矢印Ｘ方向（回転体３の板面方向）に対する回転体３のガタつきを抑制することができる。
【００３７】
また本実施形態では、回転体３の前方に回転体３の前方移動を抑制する支持板２が配置され、この支持板２と回転体３との間に柔軟性を有するスペーサ部材１１０を設けたことにより、矢印Ｙ方向（回転体３の板厚方向）に対する回転体３のガタつきを抑制することができる。なお、このとき回転体３の表裏面にはスペーサ部材１１０、潤滑部材１００が配設されているため、回転体３をスムーズに回転させることができる。
【００３８】
（第２実施形態）図５は本発明の第２実施形態を示しており、本実施形態では前記第１実施形態にて支持体７側に形成した内側環状突出部からなる立壁部７２を回転体３側に形成した場合を示している。すなわち、回転体３には第１の貫通部３１を取り巻くように支持体７側に延びる環状突出壁からなる立壁部３５を設け、この立壁部３５が被案内部となる支持体７の第２の貫通部７１の内縁に案内されるようになっている。かかる第２実施形態においても、回転体３と支持体７との組み付け構造が簡素化され、さらに回転体３の支持体７への組み付け時には回転体３が矢印Ｘ方向に微小なクリアランスＳを有するように支持体７によって支持されることで矢印Ｘ方向（回転体３の板面方向）に対する回転体３のガタつきが抑制されるため、前記第１実施形態と同様の作用効果を得ることができる。
【００３９】
（第３実施形態）図６は本発明の第３実施形態を示しており、本実施形態では前記第１実施形態をベースとして、前記第１実施形態にて採用した立壁部７２と外側環状突出部７３との間に回転体３の歯車部３２を取り巻くように回転体３側に延びる第２の立壁部７５が形成されている場合を示している。従って、本実施形態では立壁部７２と第２の立壁部７５とこれらの間に位置する底壁部７４からなる凹部によって回転体３が回転案内される構成となっており、かかる実施形態においても前記各実施形態と同様の作用効果を得ることができる。また、この第３実施形態では回転体３の外側には駆動装置６の駆動歯車６２が位置しているため第２の立壁部７５は駆動歯車６２の配設されない箇所に設ける必要がある。また、この第３実施形態においては立壁部７２を廃止することも可能である。なお、第２の立壁部７５と歯車部３２との間には微小なクリアランスＳが設けられている。
【００４０】
（第４実施形態）図７は本発明の第４実施形態を示しており、本実施形態では前記第１，第２，第３実施形態にて採用した潤滑部材１００を廃止して、回転体３と支持体７との間に底壁部７４から回転体３側に延びる概略円環形状の隆起部７６を設けた場合を示している。かかる実施形態においても、隆起部７６と回転体３とが線接触し、回転体３と支持体７との摩擦抵抗が抑えられるため、前記各実施形態と同様の作用効果を得ることができる。なお、隆起部７６の断面形状は半円形状ではなく角形に形成してもよい。また、このような隆起部７６は支持体７側ではなく回転体３側に設けてもよい。
【００４１】
なお、この第４実施形態では隆起部７６が円環形状からなる場合について説明したが、本発明はこれに限定されることはなく、隆起部７６の形状は回転体３と支持体７との摩擦抵抗を抑制することが可能であれば任意の形状を適用することができ、例えば円環形状の回転体３（円板部３４）に沿うようにリブ形状の凸部を設けて回転体３と支持体７と点接触させるようにしてもよい。
【００４２】
（第５実施形態）かかる回転体３と支持体７との点接触構造の一例を本発明の第５実施形態として図８に示す。この第５実施形態は前記第３実施形態をベースとしている。すなわち、この第５実施形態が前記第３実施形態と異なる点は回転体３と支持体７との間に介在し回転体３と支持体７との摩擦抵抗を抑制するための潤滑部材１００に替えて支持体７に回転体３を点接触可能に支持するための凸形状の複数の突起部７７を設けた点と、回転体３の第１の貫通部３１の内縁に案内されることで矢印Ｘ方向に対する回転体３のガタつきを抑制していた円環形状の立壁部７２に替えて突起部７７と同一方向に延び回転体３を位置決めするための凸形状の複数の位置決め部７８を設けた点である。他の構成は前記第３実施形態と同一である。
【００４３】
突起部７７は、第２の貫通部７１と第２の立壁部７５との間に位置する支持体７の表面７９箇所から回転体３（円板部３４）側に隆起形成された凸形状からなり、その表面は曲面（球）形状に設定されている。そして、本実施形態では突起部７７は円板部３４に沿うように等間隔に３つ形成されているが、突起部７７の形成個数は３つに限らず円板部３４に沿うように４つ以上設けてもよい。また、位置決め部７８は、第２の貫通部７１の内壁面から回転体３側に延びるピン形状からなり、前記内壁面に沿うように等間隔に３つ形成されている。なお、位置決め部７８の形成個数は３つに限らず前記内壁面に沿うように４つ以上設けてもよい。
【００４４】
かかる実施形態においても、回転体３の支持体７への組み付け時には、各位置決め部７８が被案内部となる第１の貫通部３１の内縁に案内されることで矢印Ｘ方向に対する回転体３のガタつきが抑制されると共に、回転体３がスペーサ部材１１０と各突起部７７との間に回転可能に保持されることで矢印Ｙ方向（回転体３の板厚方向）に対する回転体３のガタつきが抑制される構成となるため、前記各実施形態と同様の作用効果を得ることができる。しかも本実施形態では、回転体３が各突起部７７と点接触する構成となるため回転体３と支持体７との摩擦抵抗をより抑えることが可能となる。なお、回転体３の支持体７への組み付け時に位置決め部７８の表面は回転体３の指針支持部３３の底面よりも下側に設定されるため、回転体３の回転が支持体７の位置決め部７８によって阻害されることはない。また、本実施形態にて採用した突起部７７は支持体７側ではなく回転体３側に設けてもよい。
【００４５】
（第６実施形態）図９は本発明の第６実施形態を示しており、本実施形態では前記第５実施形態にて採用した支持板２と回転体３との間に介在するスペーサ部材１１０を廃止して、支持板２の底面２４から回転体３側に隆起形成された複数の突出部２７を設けた場合を示している。この場合、突出部２７はその表面（回転体３側）が曲面（球）形状の凸部からなり、底面２４（円板部３４）に沿うように等間隔に３つ形成されているが、突出部２７の形成個数は３つに限らず底面２４に沿うように４つ以上設けてもよい。かかる実施形態においても矢印Ｙ方向に対しては回転体３が支持板２の突出部２７と支持体７の突起部７７とによって回転可能に保持される構成となり、回転体３と支持板２並びに回転体３と支持体７との摩擦抵抗が抑えられるため、前記各実施形態と同様の作用効果を得ることができる。また本実施形態では、支持板２（回転体３）にスペーサ部材１１０を固定することが不要となるため、支持板２、回転体３並びに支持体７の三者の組み付け作業性を向上させることができる。なお、本実施形態にて採用した突出部２７は支持体２側ではなくを回転体３側に設けてもよい。
【００４６】
（第７実施形態）図１０は本発明の第７実施形態を示しており、本実施形態では前記第５，第６実施形態をベースとして前記第５，第６実施形態にて採用した支持体７に設けた位置決め部７８を回転体３側に設けた場合を示している。すなわち、回転体３の第１の貫通部３１の内壁面には支持体７側に延び、支持体７の第２の貫通部７１に位置決めされるピン形状の位置決め部３６が設けられており、この位置決め部３６は第１の貫通部３１の内壁面に沿うように等間隔に３つ形成されている。なお、位置決め部３６の形成個数は３つに限らず第１の貫通部３１の内壁面に沿うように４つ以上設けてもよい。かかる実施形態においても回転体３の支持体７への組み付け時には、各位置決め部３６が被案内部となる第２の貫通部７１の内縁に案内されることで矢印Ｘ方向に対する回転体３のガタつきが抑制され、前記各実施形態と同様の作用効果を得ることができる。また、この場合においてもスペーサ部材１１０が不要となり、支持板２、回転体３並びに支持体７の三者を容易に組み付けることができる。
【００４７】
（第８実施形態）図１１は本発明の第８実施形態を示しており、本実施形態では前記第５〜第７実施形態にて採用した支持体７の突起部７７が矢印Ｙ方向に（回転体３の板厚方向）対して弾性（バネ性）を有するように形成された場合を示している。すなわち、円環形状からなる支持体７の表面７９にはこの表面７９（円板部３４）に沿うように３つの矩形状からなる開口部７０１が開口形成されており、これら各開口部７０１には弾性を有する板状の弾性片７０２が支持体７の表面７９に片持梁状に連続形成されている。そして、開口部７０１の略中央部に位置している弾性片７０２の自由端部（先端部）には表面７９から円板部３４側に隆起形成された突起部７０３が設けられている。この場合、突起部７０３は前記第５〜第７実施形態にて採用した突起部７７の形状と同一形状に形成されている。
【００４８】
かかる実施形態においても、回転体３の支持体７への組み付け時には突起部７０３を有する弾性片７０２によって回転体３が支持体７に点接触可能に支持されるため、回転体３と支持体７との摩擦抵抗が抑えられ、前記各実施形態と同様の作用効果を得ることができる。また、本実施形態では回転体３が突起部７０３を有する弾性片７０２によって支持されていることで、例えば環境変化に伴い指針式計器を構成する各構成部品（例えば支持板２や回転体３）が変形（膨張または収縮）したとしても、この構成部品の変形が突起部７０３を有する弾性片７０２によって吸収されるため、回転体３を良好に回転させることが可能となる。なお、このような突起部７０３を備えた弾性片７０２は支持体７側ではなく回転体３側に設けてもよい。
【００４９】
また前記第６，第７実施形態にて支持体２に設けた突出部２７が弾性片によって弾性を有するように構成され、この突出部２７を有する弾性片、並びに支持体７に設けた突起部７０３を有する弾性片７０２とによって回転体３と支持板２並びに回転体３と支持体７とを点接触させるようにしてもよい。なお、このような突出部２７を備えた弾性片は支持板２側ではなく回転体３側に設けてもよい。
【００５０】
また前記各実施形態では、回転体３と支持体７との摩擦抵抗を抑えるために潤滑部材１００、隆起部７６、突起部７７、突起部７０３を有する弾性片７０２を設けたが、回転体３と支持体７との間にスペーサ部材１１０を配設してもよい。なお、このように回転体３と支持体７との間に潤滑部材１００、隆起部７６、スペーサ部材１１０等を介在させることなく、支持板２と回転体３との間に介在するスペーサ部材１１０や突出部２７等のみで回転体３を円滑に回転させることが可能であれば、回転体３と支持体７との間に配設される潤滑部材１００や隆起部７６等を廃止することも可能である。
【００５１】
なお、前記各実施形態では指標板１と支持板２とが別部材によって形成された場合について説明したが、本発明はこれに限定されることはなく、指標板１と支持板２とを一体形成し、この一体形成された板状部材の背面にスペーサ部材１１０を装着してもよいし、突出部２７を一体形成してもよい。
【図面の簡単な説明】
【００５２】
【図１】本発明の第１の実施形態による指針式計器の正面図である。
【図２】図１のＡ−Ａ断面図である。
【図３】同実施形態による駆動装置と回転体との連結状態を示す図である。
【図４】図２中、Ｂ部を拡大して示す要部断面図である。
【図５】本発明の第２実施形態による指針式計器の要部断面図である。
【図６】本発明の第３実施形態による指針式計器の要部断面図である。
【図７】本発明の第４実施形態による指針式計器の要部断面図である。
【図８】本発明の第５実施形態による指針式計器の要部斜視図である。
【図９】本発明の第６実施形態による指針式計器の要部斜視図である。
【図１０】本発明の第７実施形態による指針式計器の要部斜視図である。
【図１１】本発明の第８実施形態による指針式計器の要部斜視図である。
【符号の説明】
【００５３】
１    指標板
１ａ  第１の透視部
１ｂ  指標部
２    支持板（板状部材）
３    回転体
４    指針
５    光源
６    駆動装置
７    支持体
８    表示装置
９    回路基板
１０    導体
１１    被覆パネル
３１    第２の透視部（第１の貫通部）
３２    歯車部
７１    第３の透視部（第２の貫通部）
７２    立壁部
７３    外側環状突出部
７４    底壁部
７５    第２の立壁部
７６    隆起部
１００    潤滑部材
１０１    ベース材
１０２    潤滑膜
１１０    スペーサ部材
Ｓ    クリアランス
【図１】
2005098948.tif 000003
【図２】
2005098948.tif 000004
【図３】
2005098948.tif 000005
【図４】
2005098948.tif 000006
【図５】
2005098948.tif 000007
【図６】
2005098948.tif 000008
【図７】
2005098948.tif 000009
【図８】
2005098948.tif 000010
【図９】
2005098948.tif 000011
【図１０】
2005098948.tif 000012
【図１１】
2005098948.tif 000013